(57)【要約】【課題】外出している社員と会社との間の連絡通話に個人所有の携帯電話を利用し、連絡通話に係る通話料金を簡便に会社が直接負担するとともに個人所有の携帯電話の携帯電話番号を秘匿する携帯電話ゲートウェイを提供する。【解決手段】携帯電話ゲートウェイは、内線電話を外線または他の内線電話と接続するＰＢＸと公衆網との間に介設され、上記公衆網につながるとともに短縮番号が予め割り当てられている携帯電話に上記内線電話から該短縮番号をダイヤルされたとき該短縮番号に対応する上記携帯電話の携帯電話番号を検索し且つ検索により得られた携帯電話番号をダイヤルして上記携帯電話を呼び出し、上記携帯電話から接続のための着信課金番号でダイヤルされたとき発信電話番号受信機能により上記携帯電話を認証するとともに呼び出す上記内線電話の内線番号の入力を促す。【選択図】図１
2009278553.tif 000002
【特許請求の範囲】
【請求項１】
内線電話を外線または他の内線電話と接続するＰＢＸと公衆網との間に介設されるとともに上記公衆網につながる携帯電話と上記内線電話とを接続する携帯電話ゲートウェイにおいて、
短縮番号が予め割り当てられている上記携帯電話を呼び出すために上記内線電話から該短縮番号がダイヤルされたとき、該短縮番号に対応して記憶された上記携帯電話の携帯電話番号を検索し且つ検索により得られた携帯電話番号へダイヤルして上記携帯電話を呼び出す、
または、上記携帯電話から接続のための着信課金番号へダイヤルされたとき発信電話番号受信機能により上記携帯電話を認証するとともに呼び出す上記内線電話の内線番号の入力を促すことを特徴とする携帯電話ゲートウェイ。
【請求項２】
短縮番号に対応する新規の携帯電話の携帯電話番号を記憶するとき、入力される該短縮番号に対して暗証番号を生成し、
上記新規の携帯電話から登録のための着信課金番号にかけられたとき発信電話番号受信機能により上記新規の携帯電話の携帯電話番号を受信するとともに入力された上記暗証番号を用いて上記新規の携帯電話を認証し、且つ上記受信した携帯電話番号を上記短縮番号に対応させて記憶することを特徴とする請求項１に記載の携帯電話ゲートウェイ。
【請求項３】
短縮番号が予め設定されている上記携帯電話を呼び出すために上記内線電話から該短縮番号がダイヤルされたとき、該短縮番号に対応するスケジュールに従って上記携帯電話にダイヤルするまたはダイヤルしないことを特徴とする請求項１に記載の携帯電話ゲートウェイ。
【発明の詳細な説明】
【技術分野】
【０００１】
この発明は、内線電話と公衆網を介して携帯電話とを通話可能にする携帯電話ゲートウェイに関するものである。
【背景技術】
【０００２】
携帯電話の普及や公衆電話の減少に伴い、社員が外出中に自社や取引先と連絡を取るために、携帯電話を利用することが一般化している。それにもかかわらず、個人所有の携帯電話が利用されるケースが依然として多い。個人所有の携帯電話を会社の業務に利用する場合、発信時の通話料金の負担の問題があることはもちろんのこと、着信に利用するには個人情報である携帯電話番号を社内に公開しなくてはならないという問題もある。特に、派遣社員や契約社員等、多様な雇用形態を取る会社においては、プライバシー保護が大きな課題となってきている。
【０００３】
個人所有の携帯電話を会社の業務に使用した場合、社員にとっての問題は、第１に携帯電話からの発信時、通話料金が自己負担となること、第２に携帯電話を着信にも利用するには、携帯電話番号を社内に公開しなくてはならないことである。会社にとっての問題は、第３に携帯電話会社や端末機種がバラバラになるため、高度な利用方法に制限があることである。
一方、会社所有の携帯電話を社員への貸与した場合、社員にとっての問題は、第４に個人所有と会社貸与の２台の携帯電話を持ち歩く必要があることである。会社にとっての問題は、第５に携帯電話端末費用や月額基本料金等のコスト負担が大きいことと、第６に私用通話に使われるリスクがあることである。
これらの問題の中には、会社によってはすでに何らかの対策が実施されているものがある。例えば、個人所有の場合の第１の問題に対して会社からの定額負担、通話明細に基づく精算などである。また、第１および第２の問題に対して、ＩＰ電話用電話番号を用いた料金管理装置等が提案されている（例えば、特許文献１参照）。
【０００４】
【特許文献１】特開２００５−２３６５９３号公報
【発明の開示】
【発明が解決しようとする課題】
【０００５】
しかし、定額負担は金額が実態と大きく乖離する恐れがあり、また、通話明細に基づく精算には膨大な手間がかかるなど、問題が完全に解決されているとは言い難い。また、特許文献１の方法は、公衆網側の機能や料金システムに依存し、構内側の機能のみでは実現できないという問題がある。
【０００６】
この発明の目的は、外出している社員と会社との間の連絡通話に個人所有の携帯電話を利用し、連絡通話に係る通話料金を簡便に会社が直接負担するとともに個人所有の携帯電話の携帯電話番号を秘匿する携帯電話ゲートウェイを提供することである。
【課題を解決するための手段】
【０００７】
この発明に係る携帯電話ゲートウェイは、内線電話を外線または他の内線電話と接続するＰＢＸと公衆網との間に介設され、上記公衆網につながるとともに短縮番号が予め割り当てられている携帯電話に上記内線電話から該短縮番号をダイヤルされたとき該短縮番号に対応する上記携帯電話の携帯電話番号を検索し且つ検索により得られた携帯電話番号をダイヤルして上記携帯電話を呼び出し、上記携帯電話から接続のための着信課金番号でダイヤルされたとき発信電話番号受信機能により上記携帯電話を認証するとともに呼び出す上記内線電話の内線番号の入力を促す。
【発明の効果】
【０００８】
この発明に係る携帯電話ゲートウェイの効果は、登録する携帯電話の携帯電話番号は携帯電話ゲートウェイの中で自動受信され、システム管理者も登録する携帯電話の携帯電話番号を知る機会がなく、システム管理者にも携帯電話番号を秘匿することができることである。また、社員の自己の携帯電話から会社の内線電話に事務連絡を行ったとき、携帯電話ゲートウェイに着信課金され、会社の内線電話から社員の自己の携帯電話に事務連絡を行ったとき、携帯電話ゲートウェイに発信課金されているので、会社は携帯電話ゲートウェイに対する課金を精算すれば良く、処理が簡単となることである。
また、スケジュールに決められた制約により、むやみに社員の自己の携帯電話にかからないようにし、社員のプライバシー保護ができることである。
【発明を実施するための最良の形態】
【０００９】
実施の形態１．
図１は、この発明の実施の形態１に係る携帯電話ゲートウェイを配備した公衆網の概略図である。
この発明の実施の形態１に係る携帯電話ゲートウェイ１は、図１に示すように、会社２のＰＢＸ６と公衆網４の間に設けられ、公衆網４側の回線は着信課金サービスを契約する。また、会社２内の内線電話５はＰＢＸ６に集約されており、当該会社２の社員が携帯する携帯電話３は公衆網４に接続されている。
また、ＰＢＸ６は公衆網４にも直接接続され、公衆網４には固定電話７、その他の携帯電話８が接続されている。なお、ＰＢＸ６の代わりにボタン電話主装置を配置しても良い。
【００１０】
会社２内の内線電話５は、内線番号によりＰＢＸ６を介して会社２内の他の内線電話５に接続される。また、会社２内の内線電話５は、電話番号によりＰＢＸ６および公衆網４を介して公衆網４に連なる固定電話７または携帯電話８に接続される。また、会社２内の内線電話５は、内線番号および短縮番号によりＰＢＸ６、携帯電話ゲートウェイ１および公衆網４を介して当該会社の社員が携帯する携帯電話３に接続される。当該会社の社員が携帯する携帯電話３は、着信課金番号および内線番号により公衆網４、携帯電話ゲートウェイ１およびＰＢＸ６を介して会社２内の内線電話５に接続される。
【００１１】
図２は、この発明の実施の形態１に係る携帯電話ゲートウェイの機能ブロック図である。
この発明の実施の形態１に係る携帯電話ゲートウェイ１は、図２に示すように、ＰＢＸ６および公衆網４にそれぞれ接続するための電話回線インターフェースまたはＩＳＤＮインターフェースからなる内線インターフェース１１および公衆網インターフェース１２、ＰＢＸ６および公衆網４からの着信後に、アナウンスまたはトーンを送信し、ダイヤル信号（ＤＴＭＦ信号）を受信する信号送受信部１３、電話を転送接続するための回線接続部１４、携帯電話ゲートウェイ１の機能を所望のシーケンスで動作させるための制御部１５、およびメモリー部１６を備える。
また、携帯電話ゲートウェイ１には、ＰＣ１７およびプリンタ１８などからなる入出力部１９が付属する。なお、公衆網インターフェース１２は発信電話番号受信機能付きである。
【００１２】
メモリー部１６には、社員が自身で自己の携帯電話を用いて、短縮番号（会社２内に公開される番号）に対応して発信電話番号受信機能により受信された自己の携帯電話３の携帯電話番号が記憶される。携帯電話３を用いて登録する前には短縮番号と携帯電話番号とを対応して記憶する領域だけが確保されている。
また、メモリー部１６には、入出力部１９から短縮番号が入力されたとき制御部１５が生成する登録用の暗証番号と短縮番号とが記憶される。
【００１３】
図３は、携帯電話と携帯電話ゲートウェイ間で短縮番号に対応する携帯電話番号を登録するシーケンスを示す図である。
次に、携帯電話ゲートウェイ１に社員が自己の携帯電話３を登録するステップを説明する。
ステップＳ１では、システム管理者が入出力部１９より新規の短縮番号［例えば５６７８］を入力して登録用の暗証番号を要求すると、携帯電話ゲートウェイ１はその短縮番号［５６７８］に対応した登録用の暗証番号［例えばＸＸ１１］を生成する。
ステップＳ２では、自己の携帯電話３を社用の事務連絡に使おうとする社員にシステム管理者は新規の短縮番号［５６７８］および登録用の暗証番号［ＸＸ１１］を教える。社員は既に登録用の着信課金番号（例えば０１２０−ＹＹＹ−ＹＹＹ）は知っているものとするが、知らない場合、システム管理者は登録用の着信課金番号を教える。
ステップＳ３では、社員は登録しようとする携帯電話３から登録用の着信課金番号（０１２０−ＹＹＹ−ＹＹＹ）へ電話する。
【００１４】
ステップＳ４では、携帯電話ゲートウェイ１は、発信電話番号（例えば０９０−ＸＸＸＸ−ＸＸＸＸ）を自動受信する。
ステップＳ５では、アナウンスによる誘導で、社員に短縮番号、登録用の暗証番号を入力させる。
ステップＳ６では、社員は短縮番号［５６７８］、登録用の暗証番号［ＸＸ１１］を入力する。
ステップＳ７では、携帯電話ゲートウェイ１は、短縮番号［５６７８］と暗証番号［ＸＸ１１］の対応が正しいことを確認したら、メモリー部１６に短縮番号［５６７８］と発信電話番号（０９０−ＸＸＸＸ−ＸＸＸＸ）とを対応して登録する。この発信電話番号（０９０−ＸＸＸＸ−ＸＸＸＸ）は、社員が事務連絡に使おうとする携帯電話３の携帯電話番号である。
ステップＳ８では、短縮番号と発信電話番号とを対応して登録を完了したら、暗証番号を無効とする。
このように登録する携帯電話３の携帯電話番号は携帯電話ゲートウェイ１の中で自動受信され、システム管理者も登録する携帯電話３の携帯電話番号を知る機会がなく、システム管理者にも携帯電話番号を秘匿することができる。
【００１５】
図４は、内線電話から携帯電話を短縮番号を用いて呼び出すときのシーケンスを示す図である。
次に、会社の内線電話５から当該会社の社員の携帯電話３を呼び出し接続するステップを説明する。
ステップＳ１１では、会社の内線電話５から携帯電話ゲートウェイ１を特定する内線番号［例えば１２３４］をダイヤルすることにより当該内線電話５が携帯電話ゲートウェイ１に接続される。
ステップＳ１２では、携帯電話ゲートウェイ１はアナウンスまたはトーンにより誘導し、当該内線電話５を操作している発信者に相手の短縮番号［５６７８］を入力させる。
ステップＳ１３では、携帯電話ゲートウェイ１はメモリー部１６に登録されている短縮番号［５６７８］に対応する携帯電話番号（０９０−ＸＸＸＸ−ＸＸＸＸ）を検索する。
ステップＳ１４では、携帯電話ゲートウェイ１は公衆網４経由で携帯電話番号（０９０−ＸＸＸＸ−ＸＸＸＸ）に発信し、発信者（会社２の内線電話５）と着信者（社員の携帯電話３）を回線接続部１４経由で接続する。この場合、公衆網が発信課金を行う。
【００１６】
図５は、携帯電話から内線電話を内線番号を用いて呼び出すときのシーケンスを示す図である。
次に、逆に当該会社の社員の携帯電話３から会社の内線電話５を呼び出し接続するステップを説明する。
ステップＳ２１では、社員の携帯電話３から会社の内線電話５を呼び出すための着信課金番号（例えば０１２０−ＸＸＸ−ＸＸＸ）をダイヤルして、携帯電話ゲートウェイ１に接続する。
ステップＳ２２では、携帯電話ゲートウェイ１は発信電話番号を自動受信する。
ステップＳ２３では、自動受信した発信電話番号がメモリー部１６に登録されていることを確認し、発信者を認証する。
ステップＳ２４では、携帯電話ゲートウェイ１は、アナウンスまたはトーンにより誘導し、発信者に相手の内線番号を入力させる。
ステップＳ２５では、会社の内線電話５の内線番号［例えば３４５６］を入力する。
ステップＳ２６では、携帯電話ゲートウェイ１はＰＢＸ６に内線番号［３４５６］をダイヤルし、発信者（社員の携帯電話３）と着信者（会社の内線電話５）を回線接続部１４経由で接続する。このとき、公衆網は着信課金を行う。
【００１７】
図１の携帯電話８が当該会社の他の社員の携帯電話であり、短縮番号［例えば９１２３］が割り当てられているとする。図６は、当該会社の社員の携帯電話３から当該会社の他の社員の携帯電話８を呼び出し接続するシーケンスを示す図である。
次に、当該会社の社員の携帯電話３から当該会社の他の社員の携帯電話８を呼び出し接続するステップを説明する。
ステップＳ３１では、社員の携帯電話３から他の社員の携帯電話８を呼び出すための着信課金番号（０１２０−ＸＸＸ−ＸＸＸ）へダイヤルして、携帯電話ゲートウェイ１に接続する。
ステップＳ３２では、携帯電話ゲートウェイ１は発信電話番号を自動受信する。
ステップＳ３３では、自動受信した発信電話番号がメモリー部１６に登録されていることを確認し、発信者を認証する。
ステップＳ３４では、携帯電話ゲートウェイ１は、アナウンスまたはトーンにより誘導し、発信者に相手の短縮番号を入力させる。
ステップＳ３５では、社員は他の社員の携帯電話８の短縮番号［９１２３］を入力する。
ステップＳ３６では、携帯電話ゲートウェイ１は短縮番号［９１２３］に対応する携帯電話番号（例えば０９０−ＹＹＹＹ−ＹＹＹＹ）へダイヤルし、発信者（社員の携帯電話３）と着信者（他の社員の携帯電話８）を回線接続部１４経由で接続する。このときは社員の携帯電話３からの接続は着信課金され、他の社員の携帯電話８への接続は発信課金される。
但し、その場合、２通話分（発信者から携帯電話ゲートウェイ１、携帯電話ゲートウェイ１から着信者）の料金が発生する。
【００１８】
このように社員の自己の携帯電話３から会社の内線電話５に事務連絡を行ったとき、携帯電話ゲートウェイ１に着信課金され、会社の内線電話５から社員の自己の携帯電話３に事務連絡を行ったとき、携帯電話ゲートウェイ１に発信課金されているので、会社は携帯電話ゲートウェイ１に対する課金を精算すれば良く、処理が簡単となる。
また、取引先等の固定電話７に短縮番号を割り当てて携帯電話ゲートウェイ１に登録しておけば、図６と同様のシーケンスにより社員の携帯電話３から固定電話７に接続することができ、携帯電話ゲートウェイ１に課金される。
【００１９】
実施の形態２．
図７は、この発明の実施の形態２に係る携帯電話ゲートウェイの機能ブロック図である。
この発明の実施の形態２に係る携帯電話ゲートウェイ１Ｂは、この発明の実施の形態１に係る携帯電話ゲートウェイ１と信号送受信部１３Ｂおよびメモリー部１６Ｂが異なり、それ以外は同様であるので、同様な部分に同じ符号を付記し説明は省略する。
メモリー部１６Ｂには、短縮番号と対応して登録されている携帯電話番号に関して、時間帯により接続を規制するスケジュールが短縮番号に対応してシステム管理者が登録する。
信号送受信部１３Ｂは、内線電話５からの携帯電話ゲートウェイ１Ｂの内線番号［１２３４］を受信したらアナウンスまたはトーンにより、呼び出したい携帯電話３の短縮番号を入力するように催促する。そして、短縮番号［５６７８］が入力されたとき、メモリー部１６Ｂに登録されている短縮番号［５６７８］に対応するスケジュールを確認する。スケジュールで、例えば、午前９時〜午後５時まで接続が可能、それ以外では接続不可となっていた場合には、それに基づいて内線電話５に対応する。例えば、現在午前１０時であれば、短縮番号［５６７８］から携帯電話番号（０９０−ＸＸＸＸ−ＸＸＸＸ）にダイヤルする。一方、午後６時であればアナウンスにより内線電話５に接続できない旨伝える。なお、接続の規制の仕方は特に制約があるわけではなく、組織により適宜決めれば良い。例えば、休日、夜間、朝礼などの時間帯で接続を規制することなどがある。
【００２０】
図８は、内線電話５から携帯電話３を短縮番号を用いて呼び出すときのシーケンスを示す図である。
次に、会社の内線電話５から当該会社の社員の携帯電話３を呼び出し接続するステップを説明する。
ステップＳ４１では、会社の内線電話５から携帯電話ゲートウェイ１Ｂを特定する内線番号［１２３４］をダイヤルすることにより当該内線電話５が携帯電話ゲートウェイ１Ｂに接続される。
ステップＳ４２では、携帯電話ゲートウェイ１Ｂはアナウンスまたはトーンにより誘導し、当該内線電話５を操作している発信者に相手の短縮番号［５６７８］を入力させる。
ステップＳ４３では、短縮番号に対応してメモリー部１６に登録されているスケジュールを確認し、接続不可の時間帯のときはステップＳ４４に、接続が可能な時間帯のときはステップＳ４５に進む。
ステップＳ４４では、内線電話５を操作している発信者に短縮番号［５６７８］の携帯電話３に接続できない旨通知する。
ステップＳ４５では、ステップＳ１３からと同様なステップを実行し短縮番号［５６７８］の携帯電話３を読み出す。
【００２１】
図９は、携帯電話３からスケジュールを変更するシーケンスを示す図である。
次に、携帯電話３からスケジュールを変更するステップについて説明する。
ステップＳ５１では、社員がスケジュールを一時的に変更したい場合、自己の携帯電話３から着信課金番号（例えば０１２０−ＺＺＺ−ＺＺＺ）にダイヤルする。
ステップＳ５２では、携帯電話ゲートウェイ１Ｂは発信電話番号を自動受信する。
ステップＳ５３では、自動受信した発信電話番号がメモリー部１６に登録されていることを確認し、発信者を認証する。
ステップＳ５４では、携帯電話ゲートウェイ１Ｂは、アナウンスにより変更したいスケジュールの条件の入力を催促する。
ステップＳ５５では、発信者は、スケジュールの条件、例えば接続可能とするために「１」、接続を不可とするために「０」などを入力する。
ステップＳ５６では、携帯電話ゲートウェイ１Ｂは、入力に応じて、発信電話番号のスケジュールを変更する。
なお、スケジュールされた次の状態切替時刻が来たら、本来の状態に復帰させる。
【００２２】
このようにスケジュールに決められた制約により内線電話５から社員の自己の携帯電話３にむやみにかからないように制限するので、自己の携帯電話３を会社の事務連絡に提供している社員のプライバシーを保護することができる。
なお、上述したスケジュール変更方法は一例であり、Ｗｅｂを用いる方法などスケジュールを変更できる方法であればいずれの方法でも良い。
【図面の簡単な説明】
【００２３】
【図１】の発明の実施の形態１に係る携帯電話ゲートウェイを配備した公衆網の概略図である。
【図２】この発明の実施の形態１に係る携帯電話ゲートウェイの機能ブロック図である。
【図３】携帯電話と携帯電話ゲートウェイ間で短縮番号に対応する携帯電話番号を登録するシーケンスを示す図である。
【図４】内線電話から携帯電話を短縮番号を用いて呼び出すときのシーケンスを示す図である。
【図５】携帯電話から内線電話を内線番号を用いて呼び出すときのシーケンスを示す図である。
【図６】当該会社の社員の携帯電話から当該会社の他の社員の携帯電話を呼び出し接続するシーケンスを示す図である。
【図７】この発明の実施の形態２に係る携帯電話ゲートウェイの機能ブロック図である。
【図８】内線電話から携帯電話を短縮番号を用いて呼び出すときのシーケンスを示す図である。
【図９】携帯電話からスケジュールを変更するシーケンスを示す図である。
【符号の説明】
【００２４】
１、１Ｂ  携帯電話ゲートウェイ、２  会社、３、８  携帯電話、４  公衆網、５  内線電話、６  ＰＢＸ、７  固定電話、１１  内線インターフェース、１２  公衆網インターフェース、１３、１３Ｂ  信号送受信部、１４  回線接続部、１５  制御部、１６、１６Ｂ  メモリー部、１７  ＰＣ、１８  プリンタ、１９  入出力部。
【図１】
2009278553.tif 000003
【図２】
2009278553.tif 000004
【図３】
2009278553.tif 000005
【図４】
2009278553.tif 000006
【図５】
2009278553.tif 000007
【図６】
2009278553.tif 000008
【図７】
2009278553.tif 000009
【図８】
2009278553.tif 000010
【図９】
2009278553.tif 000011